(57)【要約】【課題】外形が複雑であっても簡易的に製造することのできる構造を有する網戸を提供する。【解決手段】建物開口部に配置される網戸１において、網状の面材である網材４０と、網材の外周端部に沿って配置され、室内側又は室外側の面に沿って連続して設けられた溝である枠溝１１を有する枠体１０と、枠溝に沿って該枠溝の内側に配置され、枠溝と同一の方向に開口された溝を有する棒状の部材である網戸ホール２０と、網戸ホールの溝の内側に網材の端部を固定して嵌め込まれる棒材である網押し棒５０とを備える。【選択図】図２
2007092444.tif 000002
【特許請求の範囲】
【請求項１】
建物開口部に配置される網戸であって、
網状の面材である網材と、
前記網材の外周端部に沿って配置され、室内側又は室外側の面に沿って連続して設けられた溝である枠溝を有する枠体と、
前記枠溝に沿って該枠溝の内側に配置され、前記枠溝と同一の方向に開口された溝を有する棒状の部材である網戸ホールと、
前記網戸ホールの溝の内側に前記網材の端部を固定して嵌め込まれる棒材である網押し棒と、を備える網戸。
【請求項２】
前記枠体が、一体に成型された枠状の部材であることを特徴とする請求項１に記載の網戸。
【発明の詳細な説明】
【技術分野】
【０００１】
本発明は、戸建やマンション等の住宅やオフィスビル、又は公共施設等の建物に備えられる開口部装置に適用される網戸に関し、詳しくは、外形が複雑であっても簡易的に製造することのできる構造を有する網戸に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用されている。
【０００３】
洋風なデザインの建物の要素設計において窓は重要な要素の１つである。建物の窓は室内外の換気及び採光の手段としての機能に留まらず、建物の印象を決める重要な役割を有している。例えば窓の配置や形が異なると同じ形状の建物であってもその雰囲気は全く異なる。例えば円形窓は洋風でモダンな建物である印象を与え、その需要も増加傾向にある。そして該増加傾向に伴い、需要者の希望も多岐に渡るようになり、このような需要者の希望を反映する設計が必要となってきている。
【０００４】
かかる窓の多様化に伴い、窓に備えられる網戸も円形窓には円形の網戸というように窓に適合した形状とされる必要がある。図６は従来の矩形の網戸６０１の分解斜視図である。図６においては紙面左が室外側、紙面右が室内側を示している。従来において矩形の網戸６０１は、室外側から、枠体６１０と、網状の面材で、その端部が枠体６１０に取り付けられる網材６２０と、枠体６１０の一方の面に設けられた溝６３１、６３１、６３１、６３１の内側に網材６２０とともに嵌め込まれて配置される網押し棒６５０と、ふた枠６６０とをこの順に備えている。このうち枠体６１０は、４辺を構成する直線状の棒材である横枠６１１、６１２、と縦枠６１３、６１４とを備え、該横枠６１１、６１２及び縦枠６１３、６１４の端部が組み合わせられている。また、図７には、枠体６１０のうちの横枠６１３の横断面を示した。図７は、紙面上が室内側、紙面下が室外側であり、紙面左が網戸６０１の外側、紙面右が網材６２０側を示している。図７からもわかるように溝６３１は、該溝６３１の側壁を構成する壁部６３２、６３３を備え、さらにその内側に突起６３４、６３５、６３６、６３６、６３６が設けられている。これは、該溝６３１の内側に網材６２０の端部と、網押し棒６５０とが適切に保持されるように設けられたものであり、網材６２０及び網押し棒６５０が突起６３４、６３５、６３６、６３６、６３６に係止されて保持される。
【０００５】
ここで、枠材６１０はかかる断面形状を有しているので、鋳造や射出成型等の溶融材料を型内で凝固させて成型する成型法（以降、これらを総称して単に「成型」と記載することがある。）では、成型時に、凝固した製品を型から抜くことが困難であり、枠体６１０を一体では成型することができない。そこで、従来においては、押出型材等により横枠６１１、６１２、及び縦枠６１３、６１４を形成し、これらを組み合わせることによって枠体６１０としていた。
【０００６】
このような従来における網戸６０１の構成は特に文献により開示されているものではないが、当業者により行われている事項であり、実際の網戸に適用されているところである。
【発明の開示】
【発明が解決しようとする課題】
【０００７】
しかし、このように複数の枠材を組み合わせて１つの枠体を形成する方法では、上述のような網戸が、その枠形状が矩形でなく、他の例えば円形や三角形等のように異形なものとされた場合、枠材同士の連結が複雑となるという問題があった。このことは、所望の形状が得られないことや、もし得られても製造上の困難性から製造効率が低下したり、コストが上昇したりすることにより、不具合を生じるという問題もあった。
【０００８】
そこで、本発明は外形が複雑であっても簡易的に製造することのできる構造を有する網戸を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、建物開口部に配置される網戸（１）であって、網状の面材である網材（４０）と、網材の外周端部に沿って配置され、室内側又は室外側の面に沿って連続して設けられた溝である枠溝（１１、１２）を有する枠体（１０）と、枠溝に沿って該枠溝の内側に配置され、枠溝と同一の方向に開口された溝を有する棒状の部材である網戸ホール（２０）と、網戸ホールの溝の内側に網材の端部を固定して嵌め込まれる棒材である網押し棒（５０）とを備える網戸を提供することにより前記課題を解決する。
【００１１】
請求項２の発明は、請求項１に記載の網戸（１）の枠体（１０）が、一体に成型された枠状の部材であることを特徴とする。
【００１２】
ここで「一体に成型された」とは、上述のように鋳造や射出成型等の溶融材料を型内で凝固させる方法により製造されたものを意味する。
【発明の効果】
【００１３】
請求項１に記載の発明によれば、全体として複雑な形状の網戸であっても、別体として備えられた網戸ホールにより網材を適切に取り付けることができるので、枠体はこの網戸ホールが取り付けられれば良く、枠体を簡易な構造とすることができる。よって需要者の要求に対して適切に応えることができる網戸を提供することができる。
【００１４】
請求項２に記載の発明によれば、枠体が鋳造等の成型で製造されており、枠体の組み立てを必要しないので、複雑な形状の網戸でも簡易に製造することが可能な網戸を提供することができる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、１つの実施形態のかかる本発明の網戸１の室内側斜視図である。図１は斜め下方からの視点における網戸１の室内側斜視図で、紙面左が室外側、紙面右が室内側である。図１に示したように、本発明の網戸１は室内視で、枠体１０と、網材４０と、ふた枠６０とを備えている。これら部材の詳細及び他の部材については後で説明する。このようの組み立てられた網戸１は窓等の室内側又は室外側に配置され、害虫の室内への侵入を防止する効果を有する。
【００１８】
網戸１では、円形窓に対応した円形の外形を有する網戸を１つの実施形態として示しているが、本発明の網戸はその外形が円形であることに限定される必要はない。それには例えば矩形の網戸にも適用することが可能である。さらには、より複雑で異形な形状にも適用可能であり、例えば５角形の窓等でも良い。また、本実施形態では、網戸１の下部に連通口が設けてあるが、この連通口は必ずしも設ける必要はなく、当該下部も通常の網材が配置される部分であっても良い。
【００１９】
次に網戸１に備えられる各部材について説明する。図２は網戸１の分解斜視図である。図２は斜め下方からの視点における網戸１の分解斜視図で、紙面左下が室外側、紙面右上が室内側を示している。図２からわかるように、網戸１は室外側から、枠体１０と、網戸ホール２０、３０と、網材４０と、網押し棒５０と、ふた枠６０とをこの順に備えている。各部材の詳細については後で詳しく説明する。網戸１では、上記の順に各部材が備えられているが、この順が室内外方向については逆になっても良く、室内側から枠体と、網戸ホールと、網材と、網押し棒と、ふた枠とをこの順に備えても良い。
【００２０】
以下に各部材について説明する。枠体１０は、不図示の円形窓に対応した大きさに成型された枠状の部材で、室内外方向に連通した開口部１５、１６を備えている。このうち開口部１５には後述するように網材２０が配置され、網戸１としての基本的な役割である害虫の侵入防止の効果を有する。一方、開口部１６には、不図示の窓の開閉操作部材が配置される。この操作部材により、網戸１を移動させなくても窓の開閉が可能となる。さらに枠体１０の室内側端面には溝１１、１２が刻設されている。図３は、図２のＡ−Ａで示した線に沿った枠体１０の断面図である。図３では、紙面上が室内側、紙面下が室外側を示している。図３からもわかるように枠体１０の室内側端面には溝１１、１２が刻設されている。溝１１は枠体１０の室内側端面から室外側を深さ方向とする矩形断面の溝であり、両側壁は室内側から室外側に向けてその幅が若干狭くなるようなテーパを有している。これにより成型時において型と成型品との離脱がし易くなる。溝１２は溝１１の底部からさらに室外側に刻設され、溝１１よりも幅が小さく形成された溝である。
【００２１】
そして枠体１０は、成型により一体に製造されている。このように、枠体１０は円形であるとともに開口部１５と開口部１６とを備える複雑な形状である。従って、従来のように枠材を組み合わせて形成した場合には、非常に多くの工程及び精度が必要となるのでコストがかかるという問題があった。しかし本発明の網戸１に備えられた枠体１０では、このように複雑な形状の枠体であっても成型により容易に製造可能であり、コスト等の観点からも優れた網戸を提供することができる。
【００２２】
図２に戻り、網戸１に備えられた各部材についての説明を続ける。網戸ホール２０、３０は、枠体１０の溝１１、１２の内側に嵌め込まれる形状に形成された棒状の部材で、溝１１、１２に沿って曲げられて形成されている。網戸ホール２０と網戸ホール３０とは、枠体１０の円弧部分に取り付けられるか、直線部分に取り付けられるかの違いのみで、断面形状に差異はない。よってここでは網戸ホール２０についてのみ説明する。図４は、図２にＢ−Ｂで示した線に沿った断面図で、紙面上が室内側、紙面下が室外側、紙面右が網材４０が配置される側である。網戸ホール２０は全長に亘り、図４に示した断面を有している。図４からわかるように、網戸ホール２０は、室内側に開口した溝２１を備えたコの字型断面を有する基材部２２と、該基材部２２の室外側端面から室外側に延在する係止部２３とを備えている。また、溝２１の内側の左右両壁面のそれぞれには、突起２４、２５、２６、２６、２６、２６が設けられている。さらに係止部２３の左右両面のそれぞれにも突起２７、２７、２７、２７が配置されている。突起２７、２７、２７、２７の外側間距離は溝１２の溝幅よりも若干大きく形成されている。枠体１０の溝１１、１２と網戸ホール２０との関係は後で説明する。
【００２３】
網戸ホール２０は、溝１１、１２に沿って配置されるので、曲げることが可能な部材であれば、その材質は特に限定されるものではない。
【００２４】
このように、複雑な断面を有する網戸ホールを枠体とは別に備え、曲げることができる部材とすることにより、枠体が複雑な外形を有していても該枠体に沿って網戸ホールを取り付けるのみで、後述するように網材を適切に張ることができる。
【００２５】
図２に戻り、さらに網戸１に備えられた各部材についての説明を続ける。網材４０は、網状の面材であり、枠体１０の開口部１５と略同じ形状を有している。後述するように網材４０の外周部が網戸ホール２０、３０に取り付けられ、該網戸ホール２０、３０が枠体１０の溝１１、１２の内側に配置されるので、その分だけ若干大きく形成されている。網材２０の材質は通常の網戸に適用される網戸と同じであり、特に限定されるものではない。
【００２６】
網押し棒５０は円形の断面を有する曲げることができる環状の部材であり、枠体１０の溝１１に沿った形状に形成されている。網押し棒５０の網戸ホール２０、３０及び枠体１０への配置は後で説明する。網押し棒５０は端部の無い１つの環を形成していなくても良く、端部があり、該端部同士が連結されていない状態であっても良い。また、溝１１の全長に亘って配置されなくてもよく、断続的に溝１１の内側に配置される複数の短い部材であっても良い。
【００２７】
ふた枠６０は、網戸１の最も室内側に、枠材１０の溝１１に沿って配置されている枠状の部材で、網戸ホール２０、網材４０の外周端部及び網押し棒５０をその外観視から隠蔽するように取り付けられる。これにより網戸１にシンプルな印象を与えることができ、外観の優れた網戸１を提供することができる。
【００２８】
以上のように、一体に成型された枠体１０を構成要素として備えるとともに、網戸ホール２０、３０が別に設けられることにより、外形が複雑であっても簡易的な構造で網戸１を構成することが可能となる。そしてこれにより、製造コスト削減や、需要者の要望に適切に応えることのできる網戸１とすることができる。
【００２９】
次に上述した各部材が組み合わせらたときにおける各部材の配置について説明する。図５は図１にＣ−Ｃで示した線に沿った部分における網戸１の横断面図である。図５では紙面上が室内側、紙面下が室外側を示している。
【００３０】
まず、枠体１０の溝１１、１２の内側に網戸ホール２０が嵌め込まれる。このとき網戸ホール２０の係止部２３が溝１２の内側に、網戸ホール２０の基材部２２が溝１１の内側にそれぞれ配置される。網戸ホール２０の係止部２３には上述のように左右に突出した突起２７、２７、２７、２７が設けられているので、この部位が溝１２の左右壁面に接触して、摩擦により網戸ホール２０を溝１１、１２の内側に保持する。
【００３１】
次に、網押し棒５０が網材４０の外周端部を巻き込みながら網戸ホール２０の溝２１の内側に嵌め込まれる。このとき網押し棒５０が網戸ホール２０の突起２４、２５、２６、２６、２６、２６により係止され、網材４０の外周端部が溝２１の内側に安定して配置されるとともに、網材４０自身も網戸ホール２０の突起２４、２５に引っ掛かり、さらに安定して配置される。そしてこのように組み立てられた枠体１０、網戸ホール２０、網材４０及び網押し棒５０の室内側からふた枠６０が取り付けられる。
【００３２】
以上のように、本発明の網戸１は、外形が複雑であるにもかかわらず簡易的に網戸１を組み立てることができ、非常に効率良く製造することのできる網戸とすることができる。
【００３３】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う網戸も本発明の技術的範囲に包含されるものとして理解されなければならない。
【図面の簡単な説明】
【００３４】
【図１】１つの実施形態にかかる本発明の網戸の斜視図である。
【図２】本発明の網戸の分解斜視図である。
【図３】図２にＡ−Ａで示した線に沿った枠体の断面図である。
【図４】図２にＢ−Ｂで示した線に沿った網戸ホールの断面図である。
【図５】図１のＣ−Ｃで示した線に沿った網戸の断面図である。
【図６】従来の網戸の分解斜視図である。
【図７】従来の網戸の枠体の断面図である。
【符号の説明】
【００３５】
１  網戸
１０  枠体
１１  溝
１２  溝
２０  網戸ホール
２１  溝
２２  基材部
２３  係止部
２４  突起
２５  突起
２６  突起
３０  網戸ホール
４０  網材
５０  網押し棒
６０  ふた枠
【図１】
2007092444.tif 000003
【図２】
2007092444.tif 000004
【図３】
2007092444.tif 000005
【図４】
2007092444.tif 000006
【図５】
2007092444.tif 000007
【図６】
2007092444.tif 000008
【図７】
2007092444.tif 000009